(57)【要約】【課題】音源の種類の違い等に応じた減衰速度の違いを反映してオーディオ信号のレベルを表示できるようにする。【解決手段】オーディオ信号のレベルの減衰変化に対するレベルメータ１３の表示遅れ時間を可変設定する設定部１１と、設定部１１に設定された表示遅れ時間とオーディオ信号のレベルに基づいて、レベルメータに表示するレベル値を制御する制御部１２を備える。例えばメモリ２２に、オーディオ信号の供給源を示す種類毎に、その種類に適した表示遅れ時間を予め規定した表示遅れ時間情報が記憶される。設定部１１は、ミキサ２０のチャンネル毎に、そのチャンネルのオーディオ信号の供給源を示す種類に応じた表示遅れ時間を、表示遅れ時間情報に基づいて設定する。【選択図】        図１
2016174225.tif 000002
【特許請求の範囲】
【請求項１】
オーディオ信号のレベル変化を表示するレベルメータを制御するための表示制御装置であって、
前記オーディオ信号のレベルの減衰変化に対する前記レベルメータの表示遅れ時間を可変設定する設定部と、
前記設定部に設定された表示遅れ時間と前記オーディオ信号のレベルに基づいて前記レベルメータに表示するレベル値を制御する制御部と
を備える表示制御装置。
【請求項２】
前記オーディオ信号の供給源を示す種類毎に、その種類に適した前記表示遅れ時間を予め規定した表示遅れ時間情報を記憶する記憶部を更に備え、
前記設定部は、前記記憶部に記憶された表示遅れ時間情報に基づいて、前記オーディオ信号の供給源を示す種類に応じた表示遅れ時間を設定することを特徴とする請求項１に記載の表示制御装置。
【請求項３】
前記設定部は、複数のチャンネルで構成されるグループを構成する各オーディオ信号に対して前記表示遅れ時間を設定することを特徴とする請求項１又は２に記載の表示制御装置。
【請求項４】
前記制御部は、前記オーディオ信号のレベルが減衰するときは、前記表示遅れ時間に基づいて実際のレベルの減衰変化よりも遅れて該レベルの減衰変化を示すように前記レベル値を制御する一方、該オーディオ信号のレベルが増加するときは、前記減衰するときよりも短い時間で実際のレベルの増加変化に追従して該レベルの増加変化を示すように前記レベル値を制御することを特徴とする請求項１乃至３の何れかに記載の表示制御装置。
【請求項５】
複数のチャンネルのオーディオ信号に対する信号処理を制御するためのミキシングコンソールであって、
前記チャンネル毎にオーディオ信号のレベルを表示するレベルメータと、
前記チャンネル毎に、前記オーディオ信号のレベルの減衰変化に対する前記レベルメータの表示遅れ時間を可変設定する設定部と、
前記設定部に設定された表示遅れ時間と前記オーディオ信号のレベルに基づいて、前記チャンネル毎に前記レベルメータに表示するレベル値を制御する制御部
を備えるミキシングコンソール。
【請求項６】
前記オーディオ信号の供給源を示す種類毎に、その種類に適した前記表示遅れ時間を予め規定した表示遅れ時間情報を記憶する記憶部を更に備え、
前記設定部は、前記記憶部に記憶された表示遅れ時間情報に基づいて、前記チャンネル毎のオーディオ信号の供給源を示す種類に応じた表示遅れ時間を設定することを特徴とする請求項５に記載のミキシングコンソール。
【請求項７】
前記設定部は、或る複数のチャンネルで構成されるグループを構成する各チャンネルのオーディオ信号に対して前記表示遅れ時間を設定することを特徴とする請求項５又は６に記載のミキシングコンソール。
【発明の詳細な説明】
【技術分野】
【０００１】
この発明は、オーディオ信号のレベルを表示するレベルメータを制御するための表示制御装置に関し、特に、複数チャンネルのオーディオ信号に対する信号処理を行うミキシングコンソールに備わるレベルメータに好適な表示制御装置に関する。
【背景技術】
【０００２】
従来、例えばオーディオレコーダーやオーディオアンプ等のオーディオ機器や、ビデオカメラやビデオ再生装置等のビデオ機器などにおいて、機器に入力されたオーディオ信号のレベルを監視するためのレベルメータを備えることが知られる。この種のレベルメータには、オーディオ信号のレベルを表示し、且つ、そのピーク値を一定時間保持することにより、該保持されたピーク値も同時に表示できるものがある。特許文献１には、ユーザの好みや装置の用途に応じて、ピーク値を保持する時間を可変設定することが記載されている。
【０００３】
また、オーディオ信号のレベルメータにおいてレベル表示を見易くするための工夫として、表示されるレベルの減衰変化を、実際のレベルの減衰変化よりも、或る時定数をもってなだらかな変化に見せるように制御することが、従来から知られる（前記特許文献１を参照）。これによれば、例えば図１０に示す通り、実線で示すレベルメータの表示する信号のレベル変化１００が、点線で示す実際のオーディオ信号のレベル変化１０２よりも、多少遅れて表示される。レベル変化をなだらかに見せることで、例えば短時間での極端なレベル変化であっても視認性を或る程度確保することができる。
【０００４】
複数のチャンネルのオーディオ信号に対する信号処理を行うミキシングコンソール（以下単に「ミキサ」ともいう）は、一般的に、複数のチャンネルそれぞれのオーディオ信号のレベルを表示するために複数のレベルメータを具備する（例えば非特許文献１を参照）。各チャンネルに入力されるオーディオ信号の減衰特性は、例えば打楽器と弦楽器とでは減衰速度が異なるという具合に、オーディオ信号の供給源となる楽器種類に応じて様々である。しかし、従来のミキサでは、オーディオ信号のレベル変化に対するレベルメータの応答速度が全てのレベルメータで同じ速度に設定されていたので、チャンネル毎の楽器種類に応じた減衰速度の違いを反映したレベル表示を行うことはできなかった。
【先行技術文献】
【特許文献】
【０００５】
【特許文献１】特開平０５−１５７５７８号公報
【非特許文献】
【０００６】
【非特許文献１】「ＹＡＭＡＨＡ  ＤＩＧＩＴＡＬ  ＭＩＸＩＮＧ  ＣＯＮＳＯＬＥ  ＰＭ５Ｄ／ＰＭ５ＤＲＨ取扱説明書」、[ｏｎｌｉｎｅ]、ヤマハ株式会社、２００４年、［平成２７年２月１７日検索］、インターネット〈URL: http://www2.yamaha.co.jp/manual/pdf/pa/japan/mixers/PM5DJ1.pdf〉
【発明の概要】
【発明が解決しようとする課題】
【０００７】
この発明は、上述の点に鑑みてなされたもので、オーディオ信号の減衰特性の違いを反映したレベル表示ができるようにした表示制御装置及びミキシングコンソールを提供することを目的とする。
【課題を解決するための手段】
【０００８】
この発明は、オーディオ信号のレベルを表示するレベルメータを制御するための表示制御装置であって、前記オーディオ信号のレベルの減衰変化に対する前記レベルメータの表示遅れ時間を可変設定する設定部と、前記設定部に設定された表示遅れ時間と前記オーディオ信号のレベルに基づいて前記レベルメータに表示するレベル値を制御する制御部とを備える表示制御装置である。
【０００９】
この発明に係る表示制御装置は、設定部によりオーディオ信号のレベルの減衰変化に対するレベルメータの表示遅れ時間を可変設定できる。したがって、レベルメータの応答速度を、個々のオーディオ信号の減衰特性に応じた適切な値に設定することができ、個々のオーディオ信号の減衰特性の違いを反映したレベル表示を行うことができる。
【００１０】
一実施形態において、表示制御装置は、前記オーディオ信号の供給源を示す種類毎に、その種類に適した前記表示遅れ時間を予め規定した表示遅れ時間情報を記憶する記憶部を更に備え、前記設定部は、前記記憶部に記憶された表示遅れ時間情報に基づいて、前記オーディオ信号の供給源を示す種類に応じた表示遅れ時間を設定するように構成されてよい。前記種類に適した表示遅れ時間情報とは、例えば、対応する供給源種類のオーディオ信号の減衰特性に応じた値である。これにより、オーディオ信号の供給源の種類に適した表示遅れ時間を自動的に設定することができる。
【００１１】
また、別の一実施形態において、前記設定部は、複数のチャンネルで構成されるグループを構成する各オーディオ信号に対して前記表示遅れ時間を設定するように構成されてよい。これにより、１グループを構成する複数のオーディオ信号に関して一括で表示遅れ時間を設定できる。
【００１２】
また、一実施形態に係る表示制御装置において、前記制御部は、前記オーディオ信号のレベルが減衰するときは、前記表示遅れ時間に基づいて該レベルの実際のレベル減衰変化よりも遅れてレベルの減衰変化を示すように前記レベル値を制御する一方、該オーディオ信号のレベルが増加するときは、前記減衰するときよりも短い時間で実際のレベルの増加変化に追従して該レベルの増加変化を示すように前記レベル値を制御するように構成されてよい。
【００１３】
また、この発明は、複数のチャンネルのオーディオ信号に対する信号処理を制御するためのミキシングコンソールであって、前記チャンネル毎にオーディオ信号のレベルを表示するレベルメータと、前記チャンネル毎に、前記オーディオ信号のレベルの減衰変化に対する前記レベルメータの表示遅れ時間を可変設定する設定部と、前記設定部に設定された表示遅れ時間と前記オーディオ信号のレベルに基づいて、前記チャンネル毎に前記レベルメータに表示するレベル値を制御する制御部を備えるミキシングコンソールである。一実施形態に係るミキシングコンソールは、前記オーディオ信号の供給源を示す種類毎に、その種類に適した前記表示遅れ時間を予め規定した表示遅れ時間情報を記憶する記憶部を更に備え、前記設定部は、前記記憶部に記憶された表示遅れ時間情報に基づいて、前記チャンネル毎のオーディオ信号の供給源を示す種類に応じた表示遅れ時間を設定するように構成されてよい。また、一実施形態に係るミキシングコンソールにおいて、前記設定部は、或る複数のチャンネルで構成されるグループを構成する各チャンネルのオーディオ信号に対して前記表示遅れ時間を設定するよう構成されてよい。
【発明の効果】
【００１４】
この発明に係る表示制御装置及びミキシングコンソールによれば、オーディオ信号の減衰特性の違いを反映してオーディオ信号のレベルをレベルメータに表示できるようになる、という優れた効果を奏する。
【図面の簡単な説明】
【００１５】
【図１】（ａ）本発明に係る表示制御装置の構成例を説明するブロック図、（ｂ）本発明に係るミキシングコンソールの構成例を説明するブロック図。
【図２】本発明の一実施形態に係るミキシングコンソールの電気的ハードウェア構成例を示すブロック図。
【図３】本発明の一実施形態に係るミキシングコンソールにおける信号処理機能の構成例を示すブロック図。
【図４】本発明の一実施形態に係るミキシングコンソールにおける１つのチャンネルモジュールの詳細構成例を示すブロック図。
【図５】本発明の一実施形態に係るミキシングコンソールに備わるレベルメータの一例として、複数のレベルメータ画像を含むチャンネルビュー画面を示す図。
【図６】オーディオ信号の種類毎に、その種類のオーディオ信号に適した表示遅れ時間を予め規定した表示遅れ時間情報の構成例を説明する図。
【図７】本発明の一実施形態に係るミキシングコンソールにおいて、チャンネル毎にカテゴリに応じた応答速度を記憶するためのデータ構成例であって、１チャンネル分のチャンネルデータの構成例を説明する図。
【図８】本発明の一実施形態に係るミキシングコンソールにおけるレベルメータ表示制御処理例を示すフローチャート。
【図９】オーディオ信号の実際のレベル変化とレベルメータで表示されるレベル変化を比較するグラフ。
【図１０】従来技術の説明であって、オーディオ信号のレベル変化とレベルメータで表示されるレベル変化を比較するグラフ。
【発明を実施するための形態】
【００１６】
以下、添付図面を参照して、この発明の一実施形態について詳細に説明する。
【００１７】
図１（ａ）は、本発明に係る表示制御装置の構成例を示すブロック図である。図１（ａ）において、表示制御装置１０は、オーディオ信号のレベルを表示するレベルメータ１３を制御する。レベルメータ１３は、例えばＬＥＤ、ＬＣＤ或いはアナログメータ等からなるレベルメータであり、オーディオ信号のレベル変化を連続的に表示するように構成される。例えば、レベルメータ１３が複数のＬＥＤ素子を帯状に並べたＬＥＤアレイ、或いは、ＬＣＤ画面上に表示された帯状の画像で構成される場合、オーディオ信号のレベル変化に応じてレベルメータ１３の点灯幅が増減することにより、オーディオ信号のレベル変化が連続的に表現される。アナログメータの場合は、指針の振れ幅によりオーディオ信号のレベル変化が表現される。
【００１８】
表示制御装置１０は、オーディオ信号のレベルの減衰変化に対するレベルメータ１３の表示遅れ時間を可変設定する設定部１１と、設定部１１に設定された表示遅れ時間とオーディオ信号のレベルに基づいてレベルメータ１３に表示するレベル値を制御する制御部１２を備える。表示遅れ時間を可変設定する構成により、オーディオ信号のレベルの減衰変化に対するレベルメータ１３の応答速度を調整できる。一例として、表示制御装置１０は、オーディオ信号の供給源を示す種類毎に、その種類に適した前記表示遅れ時間を予め規定した表示遅れ時間情報を記憶部（後述図２の符号２２）に記憶するように構成される。前記種類に適した表示遅れ時間情報とは、例えばオーディオ信号の供給源種類毎のオーディオ信号の減衰特性に応じた値である。この場合、設定部１１は、オーディオ信号の供給源の種類、例えば楽器種類、に応じた適切な表示遅れ時間を簡単に設定することができる。これにより、制御部１２は、例えば楽器種類等、オーディオ信号の供給源を示す種類に応じ応答速度でレベルメータ１３を制御できる。
【００１９】
図１（ｂ）は、本発明に係るミキシングコンソール（以下、ミキサという）における表示制御のための構成例を示すブロック図である。ミキサ２０は、例えば複数のチャンネルに対する信号処理を専らデジタル信号処理により行うデジタルミキサである。ミキサ２０は、チャンネル毎にオーディオ信号のレベルを表示するレベルメータ１３ａ、１３ｂ、１３ｃ・・・（図において「ＣＨ１＿ＬＶメータ」、「ＣＨ２＿ＬＶメータ」、「ＣＨ３＿ＬＶメータ」・・・）と、オーディオ信号のレベルの減衰変化に対する各レベルメータ１３ａ、１３ｂ、１３ｃ・・・の表示遅れ時間をチャンネル毎に可変設定する設定部１１０と、設定部１１０に設定された表示遅れ時間とオーディオ信号のレベルに基づいて、各レベルメータ１３ａ、１３ｂ、１３ｃ・・・に表示するレベル値を制御する制御部１２０を備える。一例として、ミキサ２０は、オーディオ信号の供給源を示す種類毎に、その種類に適した前記表示遅れ時間を予め規定した表示遅れ時間情報を記憶部（後述図２の符号２２）に記憶するように構成され、設定部１１０は、チャンネル毎に、例えばオーディオ信号の供給源となる楽器種類に応じた適切な表示遅れ時間を簡単に設定することができる。これにより、制御部１２０は、例えば各チャンネルの楽器種類等、各チャンネルのオーディオ信号の供給源を示す種類に応じた応答速度で、各チャンネルのレベルメータ１３ａ、１３ｂ、１３ｃ・・・を制御できる。なお、この明細書では、例えばレベルメータなど複数備わる構成要素を個々に区別する場合、例えば「１３ａ」や「１３ｂ」、「１３−１」、「１３−２」等のようにアルファベットや添え数字を添えた符号を参照符号として用いるが、当該構成要素を個々に区別する必要の無い場合は、例えば「１３」のように数字のみの符号を参照符号として用いる。
【００２０】
図２は、この発明の一実施形態に係るミキサの電気的ハードウェア構成例を示す。図２において、ミキサ２０は、中央処理装置（ＣＰＵ）２１、メモリ２２、表示部２３、操作部２４、信号処理部２５（ＭＩＸ部）を備える。各部２１〜２５は、通信バス２６を介して接続され、ＣＰＵ２１と各部２２〜２５との間で各種制御信号を通信できる。また、ＭＩＸ部２５は、マイクロフォンや再生装置等の入力機器又はアンプやスピーカ等の出力機器との間で、アナログオーディオ信号又はデジタルオーディオ信号を入力又は出力できる。
【００２１】
ＣＰＵ２１は、メモリ２２に記憶された各種のプログラムを実行して、ミキサ２０の全体動作を制御する。メモリ２２は、ＣＰＵ２１が実行する各種のプログラムや各種のデータなどを不揮発に格納するほか、ＣＰＵ２１が実行するプログラムのロード領域やワーク領域に使用される。メモリ２２は、リードオンリーメモリ、ランダムアクセスメモリ、フラッシュメモリあるいはハードディスク等の各種メモリ装置を適宜組み合わせて構成されてよい。
【００２２】
表示部２３は、ディスプレイおよび関連するインターフェース回路等であり、ＣＰＵ２１から与えられた表示制御信号に基づく各種情報を、各種画像や文字列等により表示する。表示部２３は、図１（ａ），（ｂ）に示すレベルメータ１３を含む。操作部２４は、複数の操作子および関連するインターフェース回路等である。ユーザは、操作部２４の各種操作子を用いて各種パラメータの設定や変更のための操作を行う。ＣＰＵ２１は、ユーザによる操作部２４又はディスプレイ（表示部２３）での入力操作に応じた検出信号を取得して、検出信号に基づいてミキサ２０の動作を制御する。
【００２３】
ＭＩＸ部２５は、例えばＤＳＰ（Digital Signal Processor）や、ＣＰＵ２１およびメモリ２２に記憶されたソフトウェアにより仮想的に実現された信号処理装置で構成される。ＭＩＸ部２５は、信号処理用のプログラムを実行することにより、図示しない入力機器から供給された１又は複数のデジタルオーディオ信号を信号処理して、該処理したデジタルオーディオ信号を、図示しない出力機器へ出力する。ＭＩＸ部２５が実行する信号処理は、複数のオーディオ信号を混合するミキシング処理を含む。この信号処理は、メモリ２２に記憶された複数のパラメータの現在値に基づいて制御される。
【００２４】
図３は、ミキサ２０の信号処理機能の構成を説明するブロック図を示す。図３に示す各要素の動作は、専らＭＩＸ部２５によるデジタル信号処理により実行される。ミキサ２０は、複数の入力チャンネルモジュール（図において「入力ｃｈ」）３１ａ〜３１ｎを具備している。各入力チャンネルモジュール３１ａ〜３１ｎは、それぞれ対応付けられた入力ポート（図示略）からのオーディオ信号を受け取って、各種パラメータの値に基づく信号処理を行い、該処理済みのオーディオ信号を、ＭＩＸバス３２ａ〜３２ｍのうち何れか１又は複数へ選択的に出力する。また、ミキサ２０は、複数の出力チャンネルモジュール（図において「出力ｃｈ」）３３ａ〜３３ｍを具備している。各出力チャンネルモジュール３３ａ〜３３ｍは、ＭＩＸバス３２ａ〜３２ｍの何れか１つに対応しており、対応するＭＩＸバス３２ａ〜３２ｍから出力されたオーディオ信号に対して、チャンネル毎の各種パラメータの値に基づく信号処理を行う。各チャンネルモジュールの行う各種信号処理は、例えば、メモリ２２に記憶された各種パラメータの現在値に従った音量レベルの調整、イコライジング、パン、各種エフェクト等である。
【００２５】
図４は、１つのチャンネルモジュールの詳細構成例として、入力チャンネルモジュール３１の詳細構成例を示す。入力チャンネルモジュール３１は、複数の信号処理要素として、ヘッドアンプ（図において「ＨＡ」）４０、ハイパスフィルタ（図において「ＨＰＦ」）４２、イコライジング（図において「ＥＱ」）４４、ゲート、コンプレッサ等を含むダイナミクス制御（図において「Ｄｙｎａｍｉｃｓ」）４６、及び、音量レベル調整（図において「Ｌｅｖｅｌ」）４８を備える。チャンネルモジュール３１には、複数のメータ出力ポイント４１、４３、４５、４７が設けられており、複数のレベルメータ１３−１、１３−２・・・のそれぞれに対して、或る１つの選択されたメータ出力ポイント４１、４３、４５又は４７から取り出されたオーディオ信号のレベルを示す信号が出力される。複数のレベルメータ１３−１、１３−２・・・は、当該入力チャンネルモジュール３１に入力された１チャンネル分のオーディオ信号に関するレベルを表示するためのメータ群であり、図１（ｂ）に示すチャンネル毎のレベルメータ１３ａ、１３ｂ、１３ｃ・・・のうち何れか１つ（若しくは図１（ａ）の符号１３）に相当する。なお、メータ出力ポイントは、図４に例示する４箇所に限らず、チャンネルモジュール上の適宜の１又は複数個所に設けられてよい。
【００２６】
なお、図示省略するが、出力チャンネルモジュールも、図４に示す入力チャンネルモジュール３１と同様に、複数の信号処理要素と、その出力チャンネルモジュールに入力されたオーディオ信号に関するレベル表示を行うための複数のレベルメータに対する複数のメータ出力ポイントを備えるように構成される。
【００２７】
図５は、ミキサに備わるレベルメータ１３の一例として、ＬＣＤからなるディスプレイ（表示部２３）上の画面内に表示された複数のレベルメータ５１〜５６を示す。図５に示すチャンネルビュー画面（ＣＨ Ｖｉｅｗ）は、ユーザにより選択された１つのチャンネルに関する詳細な信号処理要素として、ヘッドアンプ、イコライジング、コンプレッサ、音量レベル調整用フェーダ操作子及びチャンネルオン／オフスイッチを示すアイコンを表示するとともに、それらアイコンの近傍に各信号処理要素に関連するレベル表示用のレベルメータ５１〜５５を表示する。レベルメータ５１〜５４は、それぞれ、選択中の１つのチャンネルのオーディオ信号に関して、対応する信号処理要素の前段又は後段から取り出されたレベルを表示する。レベルメータ５１〜５４にはピークメータも備わる。レベルメータ５５は選択中のチャンネルのステレオ出力バランスレベルを表示する。レベルメータ５１〜５５は、選択チャンネルの１チャンネル分のオーディオ信号のレベルを表示するレベルメータ（図４の符号１３−１、１３−２・・・）である。また、チャンネルビュー画面５０には、複数のチャンネルに対応する８つのレベルメータ５６が表示されており、各レベルメータ５６には、対応するチャンネルのオーディオ信号のレベルが表示される。これらレベルメータ５６は、複数チャンネルそれぞれのオーディオ信号レベルを表示するもので、図１（ｂ）の符号１３ａ、１３ｂ、１３ｃ・・・に相当する。各レベルメータ５６には対応するチャンネルのＡＵＸ出力オン・オフ表示も備わる。
【００２８】
この実施例に係るミキサ２０は、チャンネル毎にレベルメータ１３の表示遅れ時間を可変設定できるように構成されている。表示遅れ時間の可変設定は、チャンネル毎に個々のオーディオ信号の減衰速度の違いを反映した応答速度でレベル表示を行うことを目的としている。しかし、チャンネル毎に適切な表示遅れ時間を数値入力により設定することは、面倒且つ困難である。そこで、この設定を簡単に行うために、メモリ２２には、オーディオ信号の供給源を示す種類を表すカテゴリ毎に、その種類のオーディオ信号に適した表示遅れ時間を予め規定した表示遅れ時間情報が記憶される。この明細書において「カテゴリ」は、オーディオ信号の供給源を、そのオーディオ信号の減衰特性の違いに応じて分類したものである。カテゴリは、具体的には、オーディオ信号の供給源（すなわち音源）をドラムス、バイオリン、エレキギター等といった楽器種類別に分類したもの、或いは、音源を声楽の声種（例えば男声、女声、ソプラノ、アルトなど）に分類したものなどであり得る。別の例として、カテゴリは、演奏者、演目のジャンル別（例えば演劇、オペラ、演歌公演、ポップス公演等）、あるいは、ミキサ２０使用環境別（例えば部屋の大きさ、屋外・屋内の区別、ホール名等）など、オーディオ信号の特性の違いに影響を与え得る何らかの観点により、オーディオ信号の供給源を分類したものであり得る。
【００２９】
図６は、表示遅れ時間情報６０の構成例を示す。図６において、表示遅れ時間は、オーディオ信号のレベルの減衰変化に対するレベルメータ１３（図５の符号５１〜５６）の応答速度、すなわちレベルメータの振れ幅が縮小する際の速度を示す「メータリダクション速度」として表現されている。この明細書では、「表示遅れ時間」という語と「メータリダクション速度」という語は互換的に使用される。
【００３０】
図６に示す通り、表示遅れ時間情報６０は、ドラム、バイオリン、エレキギター等のカテゴリ毎に、そのカテゴリに適したメータリダクション速度（表示遅れ時間）を予め規定している。カテゴリ毎のメータリダクション速度の値は、例えば表示遅れ時間をミリ秒単位の数値で表した値であり得る。別の例として、カテゴリ毎のメータリダクション速度の値は、メータリダクション速度の変化率、すなわちメータリダクション速度を遅くする割合で表され得る。
【００３１】
図６において、各カテゴリのメータリダクション速度は、各カテゴリのメータリダクション速度が相対的に速いか遅いかを示す。例えば、ドラム演奏音は減衰速度が速いという特徴があるので、実際のレベルの減衰変化に追従してドラム演奏音のレベル表示を行うと、表示されるレベル値の変化速度が速すぎてしまい視認性が悪い。そこで、ドラムカテゴリでは、メータリダクション速度を遅く設定する、言い換えれば、表示遅れ時間を長く設定する。また、バイオリン演奏音は減衰速度が遅いという特徴があるので、バイオリンカテゴリでは、メータリダクション速度を速く設定する、言い換えれば、表示遅れ時間を短い時間に設定し、実際のレベルの減衰変化に対して追従性の高い表示が行われるようにする。
【００３２】
図７は、メモリ２２に記憶されるチャンネルデータの構成例として、入力チャンネルに関する入力チャンネル情報７０の構成例を示す。入力チャンネル情報７０は、ミキサ２０に備わる全ての入力チャンネル（図において「Ｃｈ１」、「Ｃｈ２」、「Ｃｈ３」・・・）それぞれのチャンネルデータ７１を含む。１チャンネル分のチャンネルデータ７１は、そのチャンネルのチャンネル名データ（図において「Ｃｈネーム」）７２、そのチャンネルにおける信号処理を制御する各種パラメータの現在値（図において「パラメータ値」）７３及びそのチャンネルに設定されたカテゴリを示すカテゴリ情報７４を含む。
【００３３】
カテゴリ情報７４は、そのカテゴリを示すアイコンを表示するための画像情報７５、そのカテゴリの名称等の情報を含む楽器名等を示す名称情報７６、及び、そのカテゴリに対して予め規定されたメータリダクション速度（表示遅れ時間）７７を含む。メータリダクション速度７７は、前記図６に示す表示遅れ時間情報６０に基づいて設定される。すなわち、例えばユーザが或るチャンネルに或るカテゴリを設定したときに、ＣＰＵ２１は、メモリ２２に記憶された表示遅れ時間情報６０に基づいて、設定されたカテゴリに応じたメータリダクション速度の値を取得し、取得したメータリダクション速度の値を、前記或るチャンネルのチャンネルデータ７１内のカテゴリ情報７４に書き込む。
【００３４】
カテゴリ設定は、例えば図５のチャンネルビュー画面の左上に設けられたチャンネル名表示欄５７から行うことができる。チャンネル名表示欄５７には、画面で選択中のチャンネルのチャンネル名（図において「Ｃｈ１．」）と、そのチャンネルに設定されたカテゴリ名（図において「ドラム」）とが表示されている。ユーザは、チャンネル名表示欄５７のカテゴリ名を指定することにより、新たなカテゴリを選択できる。新たなカテゴリの選択に応じて、ＣＰＵ２１は、新たに選択されたカテゴリに応じて選択中のチャンネルのチャンネルデータ７１のカテゴリ情報７４を変更することにより、該新たに選択されたカテゴリに応じたメータリダクション速度７７を設定する。これが設定部１１又は１１０による、チャンネル毎に、オーディオ信号のレベルの減衰変化に対するレベルメータの表示遅れ時間を可変設定することに相当する。ユーザは、チャンネル毎に或るカテゴリを設定するという簡単且つ分かりやすい操作を行うだけで、チャンネル毎のオーディオ信号の供給源を示す種類に適した表示遅れ時間を設定することができる。なお、チャンネル名表示欄５７のチャンネル名を変更すれば、画面に表示する選択中のチャンネルが新たなチャンネルに変更される。
【００３５】
カテゴリには、複数のチャンネルからなる１つのグループに属する各チャンネルに対して、一括して１つのカテゴリを設定するものがある。例えば、ドラムセットを構成するスネア、キック、タム、シンバルなど複数の楽器それぞれが入力される複数チャンネルは1グループを構成し、そのグループに属する各チャンネル（すなわち、スネア、キック、タム、シンバルなどドラムセットを構成する各楽器が入力される複数チャンネル）に対して、ドラムカテゴリが設定される。一例として、かかるカテゴリは、１つの前記グループを構成するチャンネル数と、グループに共通の表示遅れ時間とを予め規定する。この場合、ＣＰＵ２１（設定部１１０）は、カテゴリ設定に応じて、１グループを構成する複数のチャンネルのチャンネルデータ７１に対して一括して新たなカテゴリ情報７４を設定することにより、該１グループを構成する複数のチャンネルに対して一括して共通のメータリダクション速度（表示遅れ時間）７７を設定する。別の例として、かかるカテゴリは、１グループを構成するチャンネル数とともに、該グループを構成するチャンネル毎の表示遅れ時間を個別に規定する、言い換えればグループを構成するチャンネル毎に割り当てる楽器種類も予め決めておく。この場合、ＣＰＵ２１（設定部１１０）は、カテゴリ設定に応じて、１グループを構成する複数のチャンネルに対して一括して新たなカテゴリ情報７４を設定することにより、該１グループを構成する複数のチャンネルそれぞれに対して個別のメータリダクション速度（表示遅れ時間）７７を設定する。
【００３６】
次に、制御部１２又は１２０によるレベルメータ表示制御処理について説明する。図８は、表示制御処理の一例を示すフローチャートである。レベルメータ表示制御処理は、ＣＰＵ２１によるソフトウェア処理により行われる。図８に示すレベルメータ表示制御処理は、ミキサ２０に備わるチャンネル毎、且つ、各チャンネルに関連するレベルメータ毎に、例えば１秒間に３０回等の適宜の起動周期で定期的に実行される。ステップＳ１において、ＣＰＵ２１は、対象チャンネルの対象レベルメータに表示すべきオーディオ信号の実際のレベルを取得する。ステップＳ２において、ＣＰＵ２１は、メモリ２２に記憶された対象チャンネルのチャンネルデータ７１を参照してメータリダクション速度（表示遅れ時間）７７を取得して、該取得した表示遅れ時間と前記ステップＳ１で取得した実際のレベルに基づいて、レベルメータに表示するレベル値を算出する。ステップＳ３において、ＣＰＵ２１は、前記ステップＳ２で算出されたレベル値に基づいて、対象チャンネルの対象レベルメータの表示を行う。
【００３７】
図９は、実際のオーディオ信号のレベル９０（図９において点線で示す）と、レベルメータで表示されるレベル変化（すなわちメータ値）を比較するグラフであって、縦軸はレベルを示し、横軸は時間を示す。図９において実線で示すレベル値９１は、表示遅れ時間の長い（すなわちメータリダクション速度が遅い）カテゴリＡに設定されたチャンネルのレベルメータで、オーディオ信号のレベル９０を表示したものである。この場合、実際のレベル９０の変化よりも遅れてレベル値９１が減衰する。例えばドラムなどレベル減衰速度の速いオーディオ信号に、カテゴリＡのように長い表示遅れ時間を適用すれば、実際のレベル減衰が急激であってもレベルメータ上の表示レベルの減衰をしっかりと視認できる。一方、一点鎖線で示すレベル値９２は、表示遅れ時間の短い（すなわちメータリダクション速度が早い）カテゴリＢに設定されたチャンネルのレベルメータで、オーディオ信号のレベル９０を表示したものである。この場合、実際のレベル９０の変化に略追従してメータ値９２が減衰する。カテゴリＢのように短い表示遅れ時間は、例えばバイオリンなどレベル減衰速度の遅いオーディオ信号種類に適用される。その場合、レベルメータは、ユーザの聴覚に近い反応を見せる。
【００３８】
図９に示す通り、実際のオーディオ信号のレベル９０が減衰するとき、レベル値９１及び９２は、それぞれのカテゴリに応じた表示遅れ時間をもって実際のレベル変化よりも遅れて減衰するのに対して、実際のオーディオ信号のレベル９０が増加するときは、レベル値９１及び９２は、いずれも、減衰するときよりも短い時間で実際のレベル変化に略追従して増加する。すなわち、制御部１２は、実際のオーディオ信号のレベル９０が減衰するとき、カテゴリに応じた表示遅れ時間に基づく制御を行う一方、実際のオーディオ信号のレベル９０が増加するときには、カテゴリに応じた表示遅れ時間に基づく制御を行わずに、減衰するときよりも短い時間で実際のレベル９０の増加変化に略追従して該レベルの増加変化を示すように前記レベル値を制御するとよい。例えば、前記図８の表示制御処理において、ＣＰＵ２０は、対象チャンネルの対象レベルメータ毎に前回処理起動時にステップＳ１で取得されたレベルを保持しておき、該前回のレベルと今回取得されたレベルとを比較することにより、オーディオ信号のレベルが前回のレベルよりも増加するのか又は減衰するのかを判定できる。レベルが減衰するときは、ＣＰＵ２０は、前記Ｓ２で算出された表示遅れ時間に基づいて、前記Ｓ３の表示制御を行う一方、増加するときは、表示遅れ時間を加味せずに取得されたレベルのみに基づいて前記ステップＳ３の表示制御を行う。これにより、レベル減衰時のメータ視認性を確保することができる一方、レベル増加時にはレベル増加に対して反応良い表示を行うことができる。なお、変形例として、オーディオ信号のレベルが増加するときには、全てのチャンネルの全てのレベルメータで一定の短い表示遅れ時間（例えば一般的なハードウェアレベルメータの応答速度と同様な表示遅れ時間である３００ミリ秒）に基づいて前記ステップＳ３の表示制御を行うようにしてもよい。
【００３９】
以上、本発明の実施形態を説明したが、本発明は上記実施形態に限定されるものではなく、特許請求の範囲、及び明細書と図面に記載された技術的思想の範囲内において種々の変形が可能である。レベルメータは、前記図５の画面に例示した帯状表示幅によりレベルを表示するタイプに限らず、前述したような指針振れ幅によりレベルを表示するアナログメータタイプでもよいし、或いは、ランプ状表示物の点灯輝度強弱によりレベル増減変化をする構成、或いは、数値表示によりレベルを表示する構成など、周知のどのようなレベルメータでもよい。
【００４０】
また、この発明に係る表示制御装置１０は、ハードウェアのミキサ２０に適用することのみならず、例えばパーソナルコンピュータ上で音楽制作を行うためのＤＡＷ（Digital Audio Workstationの略、デジタル・オーディオ・ワークステーション）は）ソフトの実行によりディスプレイに表示される録音、編集或いはミキシング画面におけるレベル表示にも適用できる。また、表示制御装置１０は、ミキサ２０に限らず、録音装置、ビデオカメラなど、オーディオ信号のレベルを表示するレベルベータを有する如何なる装置にも適用できる。
【００４１】
また、この発明は、表示制御装置に限らず、オーディオ信号のレベルを表示するレベルメータを制御するための方法であって、前記オーディオ信号のレベルの減衰変化に対する前記レベルメータの表示遅れ時間を可変設定する設定部と、前記設定部に設定された表示遅れ時間と前記オーディオ信号のレベルに基づいて前記レベルメータの表示を制御する制御部とを備える方法の発明として実施及び構成できる。また、この発明は、オーディオ信号のレベルを表示するレベルメータをコンピュータに制御させるためのプログラムであって、該コンピュータに、前記オーディオ信号のレベルの減衰変化に対する前記レベルメータの表示遅れ時間を可変設定するステップと、前記設定部に設定された表示遅れ時間と前記オーディオ信号のレベルに基づいて前記レベルメータの表示を制御するステップとを実行させるプログラムの発明として実施及び構成できる。
【符号の説明】
【００４２】
１０  表示制御装置、１１，１１０  設定部、１２、１２０  制御部、１３  レベルメータ、２０  ミキシングコンソール、２１  ＣＰＵ、２２  メモリ、２３  表示部、２４  操作部、２５  信号処理部、５０  チャンネルビュー画面、５１〜５６  レベルメータ、５７  チャンネル名表示欄、６０  表示遅れ時間情報、７０  入力チャンネル情報、７１  チャンネルデータ、７４  カテゴリ情報、７７  メータリダクション速度（表示遅れ時間）
【図１】
2016174225.tif 000003
【図２】
2016174225.tif 000004
【図３】
2016174225.tif 000005
【図４】
2016174225.tif 000006
【図５】
2016174225.tif 000007
【図６】
2016174225.tif 000008
【図７】
2016174225.tif 000009
【図８】
2016174225.tif 000010
【図９】
2016174225.tif 000011
【図１０】
2016174225.tif 000012